(57)【要約】【課題】複数種の外径サイズの異なるコルゲートチューブを使用することができ、結束部材が結束部材規制部から外れることがない良好な電線保護部材を提供する。【解決手段】電線カバーは、電線の周囲を覆うカバー本体２７に一体形成されて電線を挿通する径の異なる第１〜第３コルゲートチューブの端部が固定される半円筒状のコルゲートチューブ固定部２９と、コルゲートチューブ固定部２９の内周方向中央に突設された係合突条４９と、コルゲートチューブ固定部２９に第１〜第３コルゲートチューブを緊締固定する結束バンドと、コルゲートチューブ固定部２９の外周方向両端部５１に設けられた結束部材規制部５３と、を備える。結束部材規制部５３が、第１〜第３コルゲートチューブの異なる径に応じて結束バンドの橋架位置が異なる複数の第１〜第３位置決め部５５，５７，５９を有する。【選択図】図１
2014027755.tif 000002
【特許請求の範囲】
【請求項１】
配索される電線の周囲を覆う本体と、
前記本体に一体形成されて前記電線を挿通する径の異なる複数種のコルゲートチューブの端部がそれぞれ固定される半円筒状のコルゲートチューブ固定部と、
前記コルゲートチューブ固定部の内周方向に突設されて前記コルゲートチューブの外周溝に係合する係合突条と、
前記コルゲートチューブ固定部の内周側に前記コルゲートチューブを緊締固定する結束部材と、
前記コルゲートチューブ固定部の外周方向両端部に設けられて前記結束部材の位置を定める結束部材規制部と、を備え、
前記結束部材規制部が、前記コルゲートチューブの異なる径に応じて前記結束部材の橋架位置が異なる複数の位置決め孔部を有することを特徴とする電線保護部材。
【請求項２】
請求項１記載の電線保護部材であって、
最大径の前記コルゲートチューブに対応する前記位置決め孔部が、他の径の前記コルゲートチューブに対応する前記位置決め孔部の外側に設けられると共に、前記コルゲートチューブの接線方向に沿って延設された延長橋架壁を有することを特徴とする電線保護部材。
【請求項３】
請求項２記載の電線保護部材であって、
前記延長橋架壁の先端には、前記結束部材を位置決めする位置決め突起が突設されていることを特徴とする電線保護部材。
【発明の詳細な説明】
【技術分野】
【０００１】
本発明は、電線保護部材に関する。
【背景技術】
【０００２】
コルゲートチューブをコネクタハウジングに固定するためのカバーを備えたコネクタにおいて、異なる外径のコルゲートチューブを適正に固定できるように構成したものが知られている（例えば、特許文献１等参照）。
この種のコネクタは、別体のコネクタハウジングと電線保護部材であるコネクタカバー５０１とが着脱可能に構成されている。図７に示すように、コネクタカバー５０１には、嵌合手段５０３及びチューブ挿入部５０５が設けられる。嵌合手段５０３は、コネクタハウジングの図示しない係止手段と係止されてコネクタハウジングと嵌合される。チューブ挿入部５０５には、結束バンド規制部５０７が設けられ、結束バンド規制部５０７は第１規制壁５０９と第２規制壁５１１とによって結束バンド（結束部材）５１３の結束位置を定める（図８参照）。
【０００３】
結束バンド規制部５０７の結束バンド接触部５１５には、外側から内側に結束バンド５１３を通すために、二つの結束バンド通し穴５１７が設けられている。コネクタカバー５０１は、谷部または山部のピッチが異なる第１コルゲートチューブ５１９又は第２コルゲートチューブ５２１がコネクタに取り付けられる場合であっても、第１係止突起５２３と第２係止突起５２５との距離が、それら各ピッチの公倍数とされたことで、異なるコルゲートチューブを適正に第１係止突起５２３と第２係止突起５２５との両方に係止できる。
【０００４】
大きいサイズの第１コルゲートチューブ５１９の外径は、チューブ挿入部５０５の右側の開口の内径とほぼ一致し、また、側面視において第１コルゲートチューブ５１９の下側部分がチューブ挿入部５０５の下側から大きく露出する。従って、図８（ａ）に示すように、結束バンド５１３はチューブ挿入部５０５の外周（略半円周）を回って、第１コルゲートチューブ５１９を固定しても、その固定が適当になされる。
【０００５】
一方、第２コルゲートチューブ５２１が取り付けられる場合、径が小さいことから、側面視においてチューブ挿入部５０５の下側部分から露出する部分がほとんどない。第１コルゲートチューブ５１９のときと同じようにチューブ挿入部５０５の外周を全て回って第２コルゲートチューブ５２１を固定すると、結束バンド５１３と第２コルゲートチューブ５２１の接触部分が少なく、適正に固定できない虞がある。また、第２コルゲートチューブ５２１においてチューブ挿入部５０５の下側部分から露出する部分が無い場合は、結束バンド５１３による固定ができない。そこで、図８（ｂ）に示すように、結束バンド通し穴５１７に結束バンド５１３を通し、結束バンド５１３を外周の全てを回さずに途中で内部に導き、結束バンド５１３と第２コルゲートチューブ５２１の接触部分を十分に確保する。これによって、第２コルゲートチューブ５２１をチューブ挿入部５０５に適正に固定できる。
【先行技術文献】
【特許文献】
【０００６】
【特許文献１】特開２００８−３０５６１２号公報
【発明の概要】
【発明が解決しようとする課題】
【０００７】
しかしながら、上述したコネクタカバー５０１において、大きい外径サイズの第１コルゲートチューブ５１９を取り付ける場合、結束バンド５１３は、結束バンド通し穴５１７に通されない。そこで、第１コルゲートチューブ５１９を固定した結束バンド５１３は、結束バンド規制部５０７と結束バンド接触部５１５のみで保持される。即ち、チューブ挿入部５０５の開口側には、結束バンド５１３を保持する構造がないため、振動により結束バンド５１３が結束バンド規制部５０７から外れる虞がある。
また、これら２種類の第１コルゲートチューブ５１９及び第２コルゲートチューブ５２１より大きい外径サイズのコルゲートチューブを使用する場合、結束バンド５１３による保持が困難となる。
【０００８】
本発明は上記状況に鑑みてなされたもので、その目的は、複数種の外径サイズの異なるコルゲートチューブを使用することができ、結束部材が結束部材規制部から外れることがない良好な電線保護部材を提供することにある。
【課題を解決するための手段】
【０００９】
本発明に係る上記目的は、下記構成により達成される。
（１）  配索される電線の周囲を覆う本体と、前記本体に一体形成されて前記電線を挿通する径の異なる複数種のコルゲートチューブの端部がそれぞれ固定される半円筒状のコルゲートチューブ固定部と、前記コルゲートチューブ固定部の内周方向に突設されて前記コルゲートチューブの外周溝に係合する係合突条と、前記コルゲートチューブ固定部の内周側に前記コルゲートチューブを緊締固定する結束部材と、前記コルゲートチューブ固定部の外周方向両端部に設けられて前記結束部材の位置を定める結束部材規制部と、を備え、前記結束部材規制部が、前記コルゲートチューブの異なる径に応じて前記結束部材の橋架位置が異なる複数の位置決め孔部を有することを特徴とする電線保護部材。
【００１０】
上記（１）の構成の電線保護部材によれば、コルゲートチューブ固定部に端部が配置されたコルゲートチューブは、結束部材によってコルゲートチューブ固定部に固定される。この際、結束部材は、コルゲートチューブ固定部の外周方向両端部に設けられた結束部材規制部によって位置が定められる。結束部材規制部には、コルゲートチューブの異なる径に応じて結束部材の橋架位置が異なる複数の位置決め孔部が設けられている。即ち、いずれの外径サイズのコルゲートチューブを固定する際にも、結束部材はそれぞれ対応する橋架位置を備えた位置決め孔部に挿通されることよって脱落が確実に阻止される。従って、コルゲートチューブ固定部は、結束部材の橋架位置が異なる複数の位置決め孔部を結束部材規制部に設けることにより、複数種類の外径サイズのコルゲートチューブを結束部材が潰すことなく良好に緊締固定することができる。
【００１１】
（２）  上記（１）の構成の電線保護部材であって、最大径の前記コルゲートチューブに対応する前記位置決め孔部が、他の径の前記コルゲートチューブに対応する前記位置決め孔部の外側に設けられると共に、前記コルゲートチューブの接線方向に沿って延設された延長橋架壁を有することを特徴とする電線保護部材。
【００１２】
上記（２）の構成の電線保護部材によれば、最大径のコルゲートチューブに対応する位置決め孔部が、他の径のコルゲートチューブに対応する位置決め孔部の外側に設けられる。そこで、それぞれの位置決め孔部がコルゲートチューブの軸線に沿って併設される場合に比べ、結束部材規制部の軸方向長さを短くできる。
なお、最大径のコルゲートチューブに対応する位置決め孔部は、延長橋架壁の先端が橋架位置とされるので、この位置決め孔部の位置決め孔に挿通された結束部材は、両側の延長橋架壁の先端に架け渡されて、半円筒状のコルゲートチューブ固定部から突出する上側を押圧して最大径のコルゲートチューブを緊締固定する。ここで、最大径のコルゲートチューブに対応する位置決め孔部は、結束部材の架橋位置が延長橋架壁の延出分だけ位置決め孔より接線方向外側となるので、位置決め孔の位置に関わらず緊締固定される最大径のコルゲートチューブの潰れを抑制できる。
【００１３】
（３）  上記（２）の構成の電線保護部材であって、前記延長橋架壁の先端には、前記結束部材を位置決めする位置決め突起が突設されていることを特徴とする電線保護部材。
【００１４】
上記（３）の構成の電線保護部材によれば、最大径のコルゲートチューブに対応する位置決め孔部の位置決め孔に挿通された結束部材は、位置決め孔から導出された後、延長橋架壁の先端に掛けられて、最大径のコルゲートチューブを緊締固定する。振動等により最大径のコルゲートチューブが軸線に沿う方向に移動しようとすると、結束部材もこれに連れて移動しようとするが、延長橋架壁の先端に突設された位置決め突起が結束部材の移動を規制し、延長橋架壁の先端からの結束部材の脱落が確実に阻止される。
【発明の効果】
【００１５】
本発明に係る電線保護部材によれば、複数種の外径サイズの異なるコルゲートチューブを使用することができ、結束部材が結束部材規制部から外れることがない。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】（ａ）は本発明の一実施形態に係る電線カバーの斜視図、（ｂ）は（ａ）を矢印Ａ方向から見た図である。
【図２】（ａ）は図１の電線カバーが装着されるコネクタを電線導出側から見た斜視図、（ｂ）はコネクタを相手コネクタ結合側から見た斜視図である。
【図３】（ａ）は第１コルゲートチューブの正面図及び側面図、（ｂ）は第２コルゲートチューブの正面図及び側面図、（ｃ）は第３コルゲートチューブの正面図及び側面図である。
【図４】（ａ）は第１コルゲートチューブが装着された電線カバーの斜視図、（ｂ）は（ａ）を電線導出側から見た正面図である。
【図５】（ａ）は第２コルゲートチューブが装着された電線カバーの斜視図、（ｂ）は（ａ）を電線導出側から見た正面図である。
【図６】（ａ）は第３コルゲートチューブが装着された電線カバーの斜視図、（ｂ）は（ａ）を電線導出側から見た正面図である。
【図７】（ａ）は従来の電線保護部材の側面図、（ｂ）は（ａ）の下面図である。
【図８】（ａ）は第１コルゲートチューブを固定した従来の電線保護部材の下面図、（ｂ）は第２コルゲートチューブを固定した従来の電線保護部材の下面図である。
【発明を実施するための形態】
【００１８】
以下、本発明に係る実施形態を図面を参照して説明する。
本発明の一実施形態に係る電線保護部材は、例えば電線カバー１１やハーネスプロテクタ等に用いられる。本実施形態では、電線保護部材が電線カバー１１である場合を例に説明する。電線カバー１１は、図示しない相手コネクタとの挿入力を低減するためのレバー１３を備えたコネクタである例えば低挿入力コネクタ１５に適用することができる（図２参照）。
【００１９】
図２に示すように、低挿入力コネクタ１５は、コネクタハウジング１７に図示しない複数の端子を収容する。それぞれの端子には電線１９が接続され、電線１９は相手コネクタとの嵌合側と反対側のハウジング後部２１から導出される。コネクタハウジング１７には電線カバー１１を係止するためのカバー係止突起２３がハウジング後部２１に形成されている。本実施形態では、ハウジング後部２１から導出された複数の電線１９は、コネクタ嵌合方向（図２の左右方向）と直交する方向に曲げられた状態で電線カバー１１によって覆われる。つまり、電線カバー１１は、Ｌ字に曲がった電線収容経路を構成している。
【００２０】
図１に示すように、電線カバー１１は、カバー本体（本体）２７が、ハウジング後部２１から導出された直後の電線１９を収容する電線収容部２５と、電線収容部２５に連設され電線収容部２５から直交方向に曲げられた電線１９の周囲を覆うコルゲートチューブ固定部２９と、を有する。即ち、カバー本体２７には、半円筒状のコルゲートチューブ固定部２９が一体形成され、コルゲートチューブ固定部２９は電線１９を挿通する径の異なる複数種の第１〜第３コルゲートチューブ３５，３７，３９の端部をそれぞれに固定可能とする。
【００２１】
コルゲートチューブ固定部２９の内方に配置される複数の電線１９は、一括してコルゲートチューブに挿通される。つまり、複数の電線１９は、第１〜第３コルゲートチューブ３５，３７，３９の何れかによって保護される。第１〜第３コルゲートチューブ３５，３７，３９は、合成樹脂製とされ、図３に示すように、外周に周方向の突条部３１と外周溝３３とを交互に配した蛇腹状をなすとともに可撓性を有しており、湾曲させつつ撓み変形できるように構成されている。これら第１〜第３コルゲートチューブ３５，３７，３９によってハウジング後部２１から導出された電線１９の周りを囲むことで、電線１９が外部に剥き出しにならずに保護される。
【００２２】
本実施形態の電線カバー１１では、このコルゲートチューブ固定部２９に、外径サイズＤ１の第１コルゲートチューブ３５と、外径サイズＤ２の第２コルゲートチューブ３７と、外径サイズＤ３の第３コルゲートチューブ３９がそれぞれ固定可能となっている。ここで外径サイズの大小関係はＤ１＜Ｄ２＜Ｄ３となっている。より具体的に、例えば外径サイズＤ１は１４．１０ｍｍ、外径サイズＤ２は１７．５０ｍｍ、外径サイズＤ３は１９．５０ｍｍとすることができる。
【００２３】
コルゲートチューブ固定部２９の外周には、第１規制壁４１と第２規制壁４３とが鍔状に張り出して形成されている。コルゲートチューブ固定部２９の外周は、第１規制壁４１と第２規制壁４３との間が結束バンド接触部４５となる。即ち、第１規制壁４１と第２規制壁４３は、結束部材である結束バンド４７（図４参照）のコルゲートチューブ固定部２９の外周面に対する結束位置を規制することができる。第１規制壁４１または第２規制壁４３によって規制された結束バンド４７は、コルゲートチューブ固定部２９の内周側にコルゲートチューブを緊締固定する。
コルゲートチューブ固定部２９の内周方向には、半円弧上の係合突条４９が平行に一対突設されており、係合突条４９はコルゲートチューブの外周溝３３に係合する。これにより、係合突条４９に係合された第１〜第３コルゲートチューブ３５，３７，３９は、軸線方向に移動不能に係止される。
【００２４】
半円筒状に形成されたコルゲートチューブ固定部２９の外周方向両端部５１には、結束バンド４７の位置を定める結束部材規制部５３が設けられる。この結束部材規制部５３は、第１〜第３コルゲートチューブ３５，３７，３９の異なる外径サイズＤ１，Ｄ２，Ｄ３に応じて結束バンド４７の橋架位置が異なる複数（本実施形態では３つ）の第１〜第３位置決め孔部５５，５７，５９を有する。
【００２５】
本実施形態の第１位置決め孔部５５は、第１コルゲートチューブ３５に対応して結束バンド４７が挿通される第１位置決め孔５５ａと、結束バンド４７の橋架位置となる内側開口縁５５ｂとを有する。第１位置決め孔５５ａは、外周方向両端部５１の各壁部に、第１コルゲートチューブ３５の接線方向に沿って穿設されている。そこで、第１位置決め孔５５ａにおける内側開口縁５５ｂが、第１コルゲートチューブ３５に応じた結束バンド４７の橋架位置となる。
【００２６】
本実施形態の第２位置決め孔部５７は、第２コルゲートチューブ３７に対応して結束バンド４７が挿通される第２位置決め孔５７ａと、結束バンド４７の橋架位置となる内側開口縁５７ｂとを有する。第２位置決め孔５７ａは、外周方向両端部５１の半径方向外側に張り出した張出部６１に、第２コルゲートチューブ３７の接線方向に沿って穿設されている。そこで、第２位置決め孔５７ａにおける内側開口縁５７ｂが、第２コルゲートチューブ３７に応じた結束バンド４７の橋架位置となる。
【００２７】
本実施形態の第３位置決め孔部５９は、第３コルゲートチューブ３９に対応して結束バンド４７が挿通される第３位置決め孔５９ａと、結束バンド４７の橋架位置となる延長橋架壁６５の先端５９ｂとを有する。第３位置決め孔５９ａは、外周方向両端部５１の半径方向外側に張り出した張出部６１に、第３コルゲートチューブ３９の接線方向に沿って穿設されている。そして、第３位置決め孔５９ａにおける内側開口縁から第３コルゲートチューブ３９の接線方向に沿って延設された延長橋架壁６５の先端５９ｂが、第３コルゲートチューブ３９に応じた結束バンド４７の橋架位置となる。
【００２８】
即ち、第１〜第３位置決め孔部５５，５７，５９は、第１〜第３コルゲートチューブ３５，３７，３９の外径サイズに応じて、結束バンド４７の橋架位置が各コルゲートチューブの接線方向に沿って前進して異なるように構成されている。そこで、コルゲートチューブ固定部２９は、外径サイズが異なる第１〜第３コルゲートチューブ３５，３７，３９を結束バンド４７が潰すことなく良好に緊締固定することができる。
【００２９】
尚、本実施形態の第２位置決め孔５７ａと第３位置決め孔５９ａとは、外周方向両端部５１の半径方向外側に張り出した張出部６１に、コルゲートチューブの軸線に沿う方向に並んで穿設されている。つまり、第２位置決め孔５７ａと第３位置決め孔５９ａとは、隔壁６３によって仕切られている。
【００３０】
更に、最大径のコルゲートチューブである第３コルゲートチューブ３９に対応する第３位置決め孔部５９は、他の径のコルゲートチューブである第１コルゲートチューブ３５に対応する第１位置決め孔部５５の外側に設けられている。また、第３位置決め孔５９ａにおける内側開口縁から延設された延長橋架壁６５の先端５９ｂには、結束バンド４７を位置決めする位置決め突起６７が突設されている。
【００３１】
次に、上記構成を有する電線カバー１１の作用を説明する。
電線カバー１１に第１コルゲートチューブ３５を固定するには、図４に示すように、第１コルゲートチューブ３５の端部を係合突条４９（図１参照）に係合させてコルゲートチューブ固定部２９に配置する。そして、コルゲートチューブ固定部２９の外周方向両端部５１に設けられた結束部材規制部５３の第１位置決め孔部５５に挿通した結束バンド４７によって、第１コルゲートチューブ３５をコルゲートチューブ固定部２９に緊締固定する。詳細には、第１位置決め孔部５５における第１位置決め孔５５ａの片側から結束バンド４７のバンド先端側を通し、第１コルゲートチューブ３５の外周を回し、反対側の第１位置決め孔５５ａへ通した後、結束バンド接触部４５（図１参照）を回し、結束バンド４７のバックル部６９にバンド先端側を通して固定する。
【００３２】
電線カバー１１に第２コルゲートチューブ３７を固定するには、図５に示すように、第２コルゲートチューブ３７の端部を係合突条４９（図１参照）に係合させてコルゲートチューブ固定部２９に配置する。そして、結束部材規制部５３の第２位置決め孔部５７に挿通した結束バンド４７によって、第２コルゲートチューブ３７をコルゲートチューブ固定部２９に緊締固定する。詳細には、第２位置決め孔部５７における第２位置決め孔５７ａの片側から結束バンド４７のバンド先端側を通し、第２コルゲートチューブ３７の外周を回し、反対側の第２位置決め孔５７ａへ通した後、結束バンド接触部４５（図１参照）を回し、結束バンド４７のバックル部６９にバンド先端側を通して固定する。
【００３３】
電線カバー１１に第３コルゲートチューブ３９を固定するには、図６に示すように、第３コルゲートチューブ３９の端部を係合突条４９（図１参照）に係合させてコルゲートチューブ固定部２９に配置する。そして、結束部材規制部５３の第３位置決め孔部５９に挿通した結束バンド４７によって、第３コルゲートチューブ３９をコルゲートチューブ固定部２９に緊締固定する。詳細には、第３位置決め孔部５９における第３位置決め孔５９ａの片側から結束バンド４７のバンド先端側を通し、延長橋架壁６５に沿わした後に第３コルゲートチューブ３９の外周を回し、再び延長橋架壁６５に沿わして反対側の第３位置決め孔５９ａへ通した後、結束バンド接触部４５（図１参照）を回し、結束バンド４７のバックル部６９にバンド先端側を通して固定する。
【００３４】
このように、本実施形態に係る電線カバー１１では、コルゲートチューブ固定部２９に端部が配置された各第１〜第３コルゲートチューブ３５，３７，３９は、結束バンド４７によってコルゲートチューブ固定部２９に固定される。この際、結束バンド４７は、コルゲートチューブ固定部２９の外周方向両端部５１に設けられた結束部材規制部５３によって位置が定められる。
結束部材規制部５３には、第１〜第３コルゲートチューブ３５，３７，３９の異なる外径サイズＤ１，Ｄ２，Ｄ３に応じて結束バンド４７の橋架位置が異なる第１〜第３位置決め孔部５５，５７，５９が設けられている。即ち、いずれの外径サイズサイズＤ１，Ｄ２，Ｄ３の第１〜第３コルゲートチューブ３５，３７，３９を固定する際も、結束バンド４７はそれぞれ対応する橋架位置を備えた第１〜第３位置決め孔部５５，５７，５９に挿通されることよって脱落が確実に阻止される。従って、コルゲートチューブ固定部２９は、結束バンド４７の橋架位置が異なる第１〜第３位置決め孔部５５，５７，５９を結束部材規制部５３に設けることにより、３種類の外径サイズＤ１，Ｄ２，Ｄ３の第１〜第３コルゲートチューブ３５，３７，３９を結束バンド４７が潰すことなく良好に緊締固定することができる。
【００３５】
また、本実施形態の結束部材規制部５３では、第３コルゲートチューブ３９に対応する第３位置決め孔部５９が、第１コルゲートチューブ３５に対応する第１位置決め孔部５５の外側に設けられている。そこで、それぞれの位置決め孔部がコルゲートチューブの軸線に沿って併設される場合に比べ、結束部材規制部５３の軸方向長さを短くでき、電線カバー１１の大型化を抑制できる。
なお、第３位置決め孔部５９は、延長橋架壁６５の先端５９ｂが結束バンド４７の橋架位置とされるので、この第３位置決め孔部５９の第３位置決め孔５９ａに挿通された結束バンド４７は、両側の延長橋架壁６５の先端５９ｂに架け渡されて、半円筒状のコルゲートチューブ固定部２９から突出する上側を押圧して第３コルゲートチューブ３９を緊締固定する。ここで、第３位置決め孔部５９は、結束バンド４７の架橋位置が延長橋架壁６５の延出分だけ第３位置決め孔５９ａより接線方向外側となるので、第３位置決め孔５９ａの位置に関わらず緊締固定される第３コルゲートチューブ３９の潰れを抑制できる。従って、第３位置決め孔部５９は、第３位置決め孔５９ａが第２位置決め孔部５７の第２位置決め孔５７ａと同位置であるが、結束バンド４７の架橋位置が延長橋架壁６５の延出分だけ第２位置決め孔部５７における架橋位置より接線方向外側となっているので、緊締固定される第３コルゲートチューブ３９に潰れが生じることはない。
【００３６】
更に、第３コルゲートチューブ３９に対応する第３位置決め孔部５９の第３位置決め孔５９ａに挿通された結束バンド４７は、第３位置決め孔５９ａから導出された後、延長橋架壁６５の先端５９ｂ（図１参照）に掛けられて、第３コルゲートチューブ３９を緊締固定する。振動等により第３コルゲートチューブ３９が軸線に沿う方向に移動しようとすると、結束バンド４７もこれに連れて移動しようとするが、延長橋架壁６５の先端５９ｂに突設された位置決め突起６７が結束バンド４７の移動を規制し、延長橋架壁６５の先端５９ｂからの結束バンド４７の脱落が確実に阻止される。
【００３７】
従って、本実施形態に係る電線カバー１１によれば、３種類の外径サイズＤ１，Ｄ２，Ｄ３の第１〜第３コルゲートチューブ３５，３７，３９を使用することができ、結束バンド４７が結束部材規制部５３から外れることがない。
【００３８】
なお、本発明の電線保護部材は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
例えば、上記実施形態では電線保護部材として電線カバー１１を例に説明したが、コルゲートチューブ固定部を備えたハーネスプロテクタや電気接続箱等の種々の電線保護部材に適用できることは云うまでもない。
【符号の説明】
【００３９】
１１…電線カバー（電線保護部材）
１９…電線
２７…カバー本体（本体）
２９…コルゲートチューブ固定部
３３…外周溝
３５…第１コルゲートチューブ（他の径のコルゲートチューブ）
３７…第２コルゲートチューブ
３９…第３コルゲートチューブ（最大径のコルゲートチューブ）
４７…結束バンド（結束部材）
４９…係合突条
５１…外周方向両端部
５３…結束部材規制部
５５…第１位置決め孔部（位置決め孔部）
５５ａ…第１位置決め孔
５５ｂ…内側開口縁（橋架位置）
５７…第２位置決め孔部（位置決め孔部）
５７ａ…第２位置決め孔
５７ｂ…内側開口縁（橋架位置）
５９…第３位置決め孔部（位置決め孔部）
５９ａ…第３位置決め孔
５９ｂ…先端（橋架位置）
６５…延長橋架壁
６７…位置決め突起
【図１】
2014027755.tif 000003
【図２】
2014027755.tif 000004
【図３】
2014027755.tif 000005
【図４】
2014027755.tif 000006
【図５】
2014027755.tif 000007
【図６】
2014027755.tif 000008
【図７】
2014027755.tif 000009
【図８】
2014027755.tif 000010